(57)【要約】      （修正有）【課題】ＴＴＳ探索機能を支援する方法及びこれを用いたマルチメディア装置に関する。【解決手段】マルチメディアファイルと前記マルチメディアファイルを分析しホスト装置で生成して伝送されたＴＴＳ音声ファイルを保存する保存部と、ＵＩを提供しユーザー命令を入力されてファイルに対する情報検索を可能にするＵＩ処理部と、前記ＵＩ処理部の制御によって前記保存部でＴＴＳ音声ファイルを出力するために読み取るデータ読み取り部とからなる。【選択図】図２
2005181960.tif 000002
【特許請求の範囲】
【請求項１】
マルチメディアファイルを分析しホスト装置から生成されて伝送されたＴＴＳ音声ファイルを保存する保存部と、
ＵＩを提供しユーザー命令が入力されてファイルに対する情報検索を可能にするＵＩ処理部と、
前記ＵＩ処理部の制御によって前記保存部でＴＴＳ音声ファイルを出力するために読み取るデータ読み取り部と、
からなるＴＴＳ探索機能を支援するマルチメディア装置。
【請求項２】
前記ホスト装置は、
マルチメディア情報を分析するマルチメディア情報分析部と、
前記分析した情報からＴＴＳ音声ファイルを生成するＴＴＳファイル生成部と、
前記ＴＴＳ音声ファイルを前記マルチメディア装置の保存部に保存させるマルチメディア記録部と、
からなることを特徴とする請求項１記載のＴＴＳ探索機能を支援するマルチメディア装置。
【請求項３】
前記マルチメディア装置の保存部がファイルシステム規格によって保存される分離型保存部からなる場合、前記ホスト装置から伝送されたファイルが前記分離型保存部の衝撃防止用バッファーに割り当てられたメモリー領域に保存されることを特徴とする請求項１または２記載のＴＴＳ探索機能を支援するマルチメディア装置。
【請求項４】
前記マルチメディア装置の保存部は内蔵型メモリーからなり、マルチメディアファイルと、ＴＴＳ音声ファイルと、前記マルチメディアファイル及びＴＴＳ音声ファイルに対する情報と、を含むマルチメディアファイルディレクトリを保存できることを特徴とする請求項１または２記載のＴＴＳ探索機能を支援するマルチメディア装置。
【請求項５】
ユーザーの入力情報を受信しホスト装置から伝送されて保存されているＴＴＳ音声ファイルに対する位置情報を抽出するステップと、
前記ＴＴＳ音声ファイルを出力するステップと、
からなるＴＴＳ探索機能を支援する方法。
【請求項６】
前記抽出するステップは、分離型保存部の衝撃防止用バッファーに割り当てられたメモリー領域に保存されていることを特徴とする請求項５記載のＴＴＳ音声ファイルから情報を抽出するＴＴＳ探索機能を支援する方法。
【請求項７】
前記抽出するステップは、内蔵型メモリーに保存されたマルチメディアファイルと、ＴＴＳ音声ファイルと、前記マルチメディアファイル及びＴＴＳ音声ファイルに対する情報と、を含むマルチメディアファイルディレクトリから情報を抽出する請求項５記載のＴＴＳ探索機能を支援する方法。
【発明の詳細な説明】
【技術分野】
【０００１】
本発明は、ＴＴＳ（ＴＴＳ：Text-To-Speech）探索機能を支援する方法及びこれを用いたマルチメディア装置に関し、特にマルチメディアプレーヤー装置で液晶画面を介した映像信号の代りに音声信号でマルチメディアファイルに対する情報を提供する方法及びこれを用いた装置に関する。
【０００２】
図１は、従来技術に係るマルチメディア装置とホスト装置との動作方法を示すブロック図である。
【０００３】
図１に示すように、従来にはマルチメディアファイルを再生したい場合、ダウンロード管理部１７がホスト装置１のマルチメディア保存部１０に保存されたマルチメディアファイルをマルチメディア装置３のマルチメディアファイル保存部に保存する。
【０００４】
前記マルチメディア装置３に保存されたファイルはＵＩ処理部３０にあるNext/Previousなどのボタンを用いたユーザーの操作によりマルチメディア出力部３６を介して再生される。
【０００５】
しかし、前記従来の技術によりユーザーが希望するメディアファイルを選択する場合、ＵＩ（User interface）部の文字表示器を介して視認しながら探索したり、またはファイルを直接再生させたりして該当コンテンツだけから確認しなければならないという不都合があった。
【０００６】
また、特許文献１に開示されたＴＴＳ探索機能を提供するマルチメディア装置と共にＴＴＳ音声ファイルを生成するための装置を前記マルチメディア装置に内蔵した場合には、生産費用が増すことになり、より高音質のＴＴＳ探索機能を提供するためにマルチメディア装置内に強力なプロセッサーと大容量の保存空間とを必要とするという不都合があった。
【特許文献１】韓国公開特許第２００２-００４８３５７号
【発明の開示】
【発明が解決しようとする課題】
【０００７】
本発明は、前記のような問題を解決するために案出されたもので、ＴＴＳ探索機能のために別途の装置や費用を必要としないマルチメディア装置を提供し、画面を見ないで希望する音声を聞きながらマルチメディアファイルを探索できるようにすることを目的とする。
【課題を解決するための手段】
【０００８】
前記目的を達成するために、本発明の一実施例としてＴＴＳ（音声案内機能；Text-To-Speech）探索機能を提供するマルチメディア装置及びこれを用いた方法を、以下、説明する。
【０００９】
本発明の利点及び特徴、またこれを達成する方法は、添付の図面と共に詳細に後述されている実施例を参照すれば明らかになる。しかし、本発明は、以下に開示する実施例に限定されず、この実施例から外れて様々な形態で具現可能であり、本明細書で説明する実施例は、本発明の開示が明らかになるようにし、本発明が属する技術分野で通常の知識を持った者に発明の範疇が完全に分かるように提供しており、本発明は、請求項及び発明の詳細な説明によってのみ定義される。一方、明細書の全体にかけて同じ参照符号は同じ構成要素を示す。
【００１０】
本発明の一実施例に係るＴＴＳ探索機能を提供するマルチメディア装置は、マルチメディアファイルと、前記マルチメディアファイルを分析し、ホスト装置で生成されて伝送されたＴＴＳ音声ファイルを保存する保存部と、ＵＩを提供しユーザー命令を入力させてファイルに対する情報検索を可能にするＵＩ処理部と、前記ＵＩ処理部の制御によって前記保存部でＴＴＳ音声ファイルを出力するために読み取るデータ読み取り部と、からなる。
【００１１】
本発明の一実施例に係るマルチメディア装置においてＴＴＳ探索機能を提供する方法は、保存されたマルチメディアファイル情報を分析し生成されたＴＴＳ音声ファイルをホスト装置から受けて保存し、ユーザーの選択によって検索するステップと、前記検索されたＴＴＳ音声ファイルを出力するステップと、からなる。
【発明を実施するための最良の形態】
【００１２】
マルチメディア装置は、マルチメディアファイルを保存する保存部の種類によって２種類に分けられる。
【００１３】
第一は、ＣＤプレーヤー（Compact Disc player）のように分離型保存部（書き込み可能ＣＤ）を有している場合である。前記マルチメディア装置に対しては図２ないし図４を参照し、前記マルチメディア装置の動作方法に対しては図８及び図９を参照して後述する。
【００１４】
第二は、ＭＰ３プレーヤーと共にホスト装置に直接オンラインで連結してダウンロード管理器（Download Manager）を介して直接ファイルを伝送する場合である。前記マルチメディア装置に対しては図５ないし図７を参照し、前記マルチメディア装置の動作方法に対しては図１０ないし図１２を参照して後述する。
【００１５】
以下、図面により前記発明の実施例を詳細に説明する。
【００１６】
図２は、本発明の一実施例に係る分離型保存部を有するマルチメディア装置においてＴＴＳ探索機能を支援するために必要なホスト装置の構成要素を示すブロック図である。
【００１７】
図２に示すように、分離型保存部を有するマルチメディア装置においてＴＴＳ探索機能を支援するために必要なホスト装置１の構成要素は、マルチメディア保存部１０と、マルチメディア読み取り部１２と、マルチメディア分析部１４と、ＴＴＳファイル生成部１６と、マルチメディア記録部１８と、からなる。
【００１８】
前記マルチメディア保存部１０は、前記マルチメディア装置の分離型保存部５に保存されたマルチメディアファイルを伝送して保存する。
【００１９】
前記マルチメディア読み取り部１２は、前記マルチメディア保存部１０に保存されたマルチメディアファイルを介してファイル名やヘッダ情報等のメタデータを読み取る。
【００２０】
前記マルチメディア分析部１４は、前記マルチメディア読み取り部１２が解析したメタデータを伝達して前記ＴＴＳファイル生成部１６を介してＴＴＳ音声ファイルを生成する。
【００２１】
前記マルチメディア記録部１８は、前記ＴＴＳ音声ファイルを前記分離型保存部５に記録して保存する。
【００２２】
図３は、本発明の一実施例に係る分離型保存部のＴＴＳ音声ファイルが保存される方式を示すブロック図である。
【００２３】
図３に示すように、一般マルチメディアファイル２０は、Rootディレクトリやその下位のディレクトリにファイル形態で保存される。ＴＴＳ機能を提供するためのファイル等も前記一般マルチメディアファイルと同じ形態のファイルシステムで保存されるように具現可能である。例えば、ＴＴＳ音声ファイル名や保存された位置に対する情報を有するファイル２２と前記情報に対するＴＴＳ音声ファイル２４とを、前記一般マルチメディアファイル２０が保存される方式のように約束されたディレクトリに多重ファイル形態、または単一ファイル形態で保存するものである。このようにＭＰ３ＣＤＰなどの分離型保存部を有する装置において、ＣＤ−ＲＯＭ等の分離型保存部にＴＴＳ音声ファイルを保存する時、ファイルシステムがＩＳＯ９６６０などの約束されたファイルシステム生成規格に従うようにし、ＴＴＳ音声ファイルとその情報を共に保存したマルチメディアＣＤも一般マルチメディアファイル出力が可能な他のＭＰ３ＣＤＰで実行できるようになるので、マルチメディア装置間の互換性が確保されるようになる。
【００２４】
また、マルチメディアファイルに対する音声案内だけでなく、ディレクトリ情報に対するＴＴＳ音声ファイルが必要な場合には、ディレクトリ情報に対するＴＴＳ音声ファイルを追加することが可能である。例えば、ＣＤ上のマルチメディアファイルの数が多くなる場合、ＴＴＳ音声案内を聞きながら特定マルチメディアファイルを検索したり、または出力したりするのに不便になることがある。このような場合でも、ディレクトリ情報に対するＴＴＳ音声ファイルが追加されればＴＴＳ音声案内を聞きながらディレクトリを検索することが可能になる。
【００２５】
前記ＴＴＳ音声ファイルやディレクトリ情報を有するＴＴＳ音声ファイルは、マルチメディア装置のバッファー用メモリーに保存されるように具現することができる。
【００２６】
前記バッファー用メモリーは、携帯用で用いられるＣＤプレーヤーの場合、ユーザーの活動により生じる衝撃に対応してマルチメディア情報の一定部分をあらかじめ保存させるために用いられる。一般に、前記バッファー用メモリーに保存されたメディアファイルは、ＣＤプレーヤーに衝撃が加えられた時、高速回転するＣＤから円滑にメディアファイルを読み取ることができない場合に用いられる。ところが、検索時にはこのバッファーがよく使われないので、ＴＴＳ音声ファイルをあらかじめ保存しユーザーが音声案内を聞きながら、迅速にＣＤに入っているマルチメディア情報を探索することができる。
【００２７】
図４は、本発明の一実施例に係る分離型保存部を有するマルチメディア装置においてＴＴＳ探索機能を支援するために必要な構成要素を示すブロック図である。
【００２８】
図４に示すように、ＴＴＳ探索機能を支援する分離型保存部を有するマルチメディア装置３は、ＴＴＳ音声ファイルを保存する分離型保存部５と、ユーザー情報が入力されたり、装置の動作を制御したりするＵＩ処理部３０と、前記分離型保存部５からデータを読み取るデータ読み取り部３２と、音声信号ファイルを出力するマルチメディア出力部３４と、からなる。
【００２９】
前記ＵＩ処理部３０は、ＵＩ部３００とＵＩ制御部３０２とで構成される。前記ＵＩ部３００は、ユーザーにＵＩを提供し、それに対するユーザー命令が入力される役割をする。前記ＵＩ制御部３０２は、前記ユーザーの入力情報を解析し、前記分離型保存部５に保存されたＴＴＳ音声ファイルをＴＴＳ音声ファイル読み取り部３２０を介して読み込んでファイルに対する情報検索を可能にする。
【００３０】
データ読み取り部３２は、ＴＴＳ音声ファイル読み取り部３２０と、マルチメディアデータ読み取り部３２２と、からなる。前記ＴＴＳ音声ファイル読み取り部３２０は、前記ＵＩ部３００の入力命令に対する前記ＵＩ制御部３０２の制御によって前記分離型保存部５からＴＴＳ音声ファイルを読み取る役割をする。前記マルチメディアデータ読み取り部３２２は、前記ＴＴＳ音声ファイルを前記分離型保存部５から読み取る。
【００３１】
前記マルチメディア出力部３４は、前記ＴＴＳ音声ファイルを出力する。
【００３２】
図５は、本発明の一実施例に係る内蔵型保存部を有するマルチメディア装置においてＴＴＳ探索機能を支援するために必要なホスト装置の構成要素を示すブロック図である。
【００３３】
図５に示すように、内蔵型保存部を有するマルチメディア装置においてＴＴＳ探索機能を支援するために必要なホスト装置１の構成要素は、マルチメディア保存部１０と、マルチメディア読み取り部１２と、マルチメディア情報分析部１４と、ＴＴＳファイル生成部１６と、ダウンロード管理部１７と、からなる。
【００３４】
前記マルチメディア保存部１０は、マルチメディア装置３の内蔵型保存部３８に保存されたマルチメディアファイルを読み込んで保存する。
【００３５】
前記ダウンロード管理部１７は、ＴＴＳ音声ファイルを前記内蔵型保存部３８に記録し保存する。
【００３６】
前記マルチメディア読み取り部１２と、前記マルチメディア分析部１４と、前記ＴＴＳファイル生成部１６と、は図２で記述した内容と同様である。
【００３７】
図６は、本発明の一実施例に係る内蔵型保存部を有するマルチメディア装置においてＴＴＳ探索機能を支援するために必要な構成要素を示すブロック図である。
【００３８】
図６に示すように、ＴＴＳ探索機能を支援する内蔵型保存部を有するマルチメディア装置は、ＴＴＳ音声ファイルを保存する内蔵型保存部３８と、ユーザー情報が入力されたり、装置の動作を制御したりするＵＩ処理部３０と、前記内蔵型保存部３８からデータを読み取るデータ読み取り部３２と、前記ＴＴＳ音声ファイルを出力するマルチメディア出力部３４と、からなる。
【００３９】
データ読み取り部３２は、ＴＴＳ音声ファイル読み取り部３２０と、マルチメディアデータ読み取り部３２２と、からなる。前記ＴＴＳ音声ファイル読み取り部３２０は、前記ＵＩ部３００の入力命令に対する前記ＵＩ制御部３０２の制御によって前記内蔵型保存部からＴＴＳ音声ファイルを読み取る役割をする。前記マルチメディアデータ読み取り部３２２は、前記ＴＴＳ音声ファイルを前記内蔵型保存部３８から読み取る。
【００４０】
内蔵型保存部３８は、ダウンロード管理部３８０と、マルチメディア記録部３８２と、マルチメディア保存部３８４と、からなる。
【００４１】
前記ダウンロード管理部３８０は、前記ホスト装置１からのＴＴＳ音声ファイルの伝送を担当する。前記伝送過程は、図１１を参照して後述する。
【００４２】
前記マルチメディア記録部３８２は、前記伝送されたホスト装置１からのＴＴＳ音声ファイルを前記マルチメディア保存部３８４に記録する。
【００４３】
前記マルチメディア保存部３８４は、マルチメディアファイルディレクトリ３８４０と、ＴＴＳ音声ファイル保存部３８４２と、マルチメディアファイル保存部３８４４と、からなる。
【００４４】
前記ＵＩ処理部３０と前記マルチメディア出力部３４とは、図４で記述した内容と同様である。
【００４５】
図７は、本発明の一実施例に係るマルチメディア保存部での保存方式を示すブロック図である。
【００４６】
図７に示すように、前記マルチメディア保存部３８４には、マルチメディアファイルと、ＴＴＳ音声ファイルと、マルチメディアファイルディレクトリ３８４０と、が保存される。前記ＴＴＳ音声ファイルは、前記ＴＴＳ音声ファイル保存部３８４２に保存される。前記マルチメディアファイル保存部３８４４には一般なマルチメディアファイルが保存され、前記マルチメディアファイルのメタデータ（タイトル、アルバム名、製作者等）を音声で提供することが可能なファイルは前記ＴＴＳ音声ファイルである。前記ＴＴＳ音声ファイル保存部３８４２は物理的に分離されたメモリーを介して具現可能であるが、一つのメモリー内で保存される区域を分離して具現できる。
【００４７】
前記マルチメディアファイルディレクトリ３８４０は、ＴＴＳ探索機能サービス対象となるマルチメディアファイル名と保存された位置情報だけでなく、前記ＴＴＳ音声ファイルが保存された位置情報を有する表である。前記マルチメディアファイルディレクトリ３８４０の構造は概念的であり、テーブル形態だけでなく前記ファイル名、位置などの情報を表現できる他の形態の情報表（ツリー形態、連結リスト等）への具現が可能である。
【００４８】
前記マルチメディアファイルディレクトリ３８４０は、前記マルチメディアファイルやＴＴＳ音声ファイルが保存された部分と区別されるメモリー領域に保存されるように具現できる。前記マルチメディアファイルディレクトリ３８４０の情報を介することで、実際に、保存部に保存されたマルチメディアファイル名や保存された位置、及びＴＴＳ音声ファイルが保存された位置などを迅速に検索できるようになる。
【００４９】
図８は、本発明の一実施例に係る分離型保存部を有するマルチメディア装置においてＴＴＳ探索機能を提供するためのホスト装置の動作を示すフローチャートである。
【００５０】
図８に示すように、分離型保存部を有するマルチメディア装置においてＴＴＳ探索機能を提供するためのホスト装置の動作は、ファイル情報を抽出するステップＳ８０と、ＴＴＳ音声ファイルを生成するステップＳ８２と、ファイルを保存するステップＳ８４と、ファイル記録終了ステップＳ８６と、からなる。
【００５１】
前記ファイル情報を抽出するステップＳ８０は、ホストのマルチメディア保存部１０に保存されたファイルを読み込むステップＳ８０２と、ファイル情報を抽出するステップＳ８０４と、で構成される。
【００５２】
前記ＴＴＳ音声ファイルを生成するステップＳ８２は、前記マルチメディア読み取り部１２が前記マルチメディアファイルの名やヘッダ情報を分析しテキスト形式のメタファイルを生成するステップと、前記ＴＴＳファイル生成部１６で前記メタファイルからＴＴＳ音声ファイルを生成するステップと、からなる。
【００５３】
前記ファイルを保存するステップＳ８４では、前記生成された前記ＴＴＳ音声ファイルと、前記マルチメディアファイルと、前記ＴＴＳ音声ファイル及び前記マルチメディアファイルの位置を表す位置情報と、を前記分離型保存部５に記録する。
【００５４】
前記ファイル記録終了ステップＳ８６は、記録するマルチメディアファイルが存在しない場合Ｓ８６０、ファイル記録を終了する。
【００５５】
図９は、本発明の一実施例に係る分離型保存部を有するマルチメディア装置においてＴＴＳ探索機能を提供するためのマルチメディア装置の動作を示すフローチャートである。
【００５６】
図９に示すように、分離型保存部を有するマルチメディア装置においてＴＴＳ探索機能を提供するためのマルチメディア装置の動作は、ＵＩ処理部３０からユーザーの入力情報を受信するステップＳ９０２と、前記ＵＩ制御部３０２が前記ユーザーの入力情報を解析しＴＴＳ音声ファイルの位置情報を抽出するステップＳ９０４と、前記抽出情報に従って前記音声信号を出力しユーザーにＴＴＳ情報を知らせるステップＳ９０６と、前記ＴＴＳ情報に従ってユーザーの命令を受信しＳ９０８、ユーザーの選択に従って前記情報に対するマルチメディアファイルを再生できるステップＳ９１０と、からなる。
【００５７】
図１０は、本発明の一実施例に係る内蔵型保存部を有するマルチメディア装置においてＴＴＳ探索機能を提供するためのホスト装置の動作を示すフローチャートである。
【００５８】
図１０に示すように、内蔵型保存部３８を有するマルチメディア装置においてＴＴＳ探索機能を提供するためのホスト装置の動作は、ファイル情報を抽出するステップＳ１００と、ＴＴＳ音声ファイルを生成するステップＳ１０２と、ファイルを保存するステップＳ１０４と、ファイル記録終了ステップＳ１０６と、からなる。
【００５９】
前記ファイル情報を抽出するステップＳ１００は、ホスト装置のマルチメディア保存部１０から前記保存されたファイルを呼んでくるステップＳ１００２と、ファイル情報を抽出するステップＳ１００４と、で構成される。前記ファイルを保存するステップＳ１０４では、生成されたＴＴＳ音声ファイルを前記内蔵型保存部３８に記録する。前記ＴＴＳ音声ファイルを生成するステップＳ１０２とファイル記録終了ステップＳ１０６とは、図８で記述した内容と同様である。
【００６０】
図１１は、本発明の一実施例に係るホスト装置からファイルをダウンロードする過程を示すフローチャートである。
【００６１】
図１１に示すように、ホスト装置からファイルをダウンロードする過程は、ホスト装置１からＴＴＳ音声ファイルと、マルチメディアファイルと、前記ＴＴＳ音声ファイル及びマルチメディアファイルに対する位置を現す位置情報と、を受信するステップＳ１１０２と、前記受信されたファイルを前記内蔵型保存部に記録するステップＳ１１０４と、伝送されたファイルがない場合Ｓ１１０６、ファイル記録を終了するステップＳ１１０８と、からなる。
【００６２】
図１２は、本発明の一実施例に係る内蔵型保存部を有するマルチメディア装置においてＴＴＳ探索機能を提供するためのマルチメディア装置の動作を示すフローチャートである。
【００６３】
図１２に示すように、内蔵型保存部３８を有するマルチメディア装置においてＴＴＳ探索機能を提供するためのマルチメディア装置の動作は、ＵＩ処理部３０からユーザーの入力情報を受信するステップＳ１２００と、前記ＵＩ制御部３０２が前記ユーザーの入力情報を解析しＴＴＳ音声ファイルの位置情報を抽出Ｓ１２０２し、前記ＴＴＳ音声ファイルを出力しユーザーにＴＴＳ情報を知らせるステップＳ１２０４と、前記ＴＴＳ情報によるユーザーの命令を受信Ｓ１２０６し、ユーザーの選択に従って前記情報に対するマルチメディアファイルを再生できるステップＳ１２０８と、からなる。
【００６４】
以上、本発明を好適な実施例に基づき詳細に説明したが、本発明は前記実施例に限定されずに、本発明の技術的思想の範囲内で当該分野で通常の知識を持った者により様々な変形が可能である。
【００６５】
本発明は、ＴＴＳ探索機能のために別途の装置や費用を必要としないマルチメディア装置を提供し、画面を見ないで希望する音声を聞きながらマルチメディアファイルを探索できる効果を有する。
【図面の簡単な説明】
【００６６】
【図１】従来技術に係るマルチメディア装置とホスト装置との動作方法を示すブロック図である。
【図２】本発明の一実施例に係る分離型保存部を有するマルチメディア装置においてＴＴＳ探索機能を支援するために必要なホスト装置の構成要素を示すブロック図である。
【図３】本発明の一実施例に係る分離型保存部のＴＴＳ音声ファイルが保存される方式を示すブロック図である。
【図４】本発明の一実施例に係る分離型保存部を有するマルチメディア装置においてＴＴＳ探索機能を支援するために必要なマルチメディア装置の構成要素を示すブロック図である。
【図５】本発明の一実施例に係る内蔵型保存部を有するマルチメディア装置においてＴＴＳ探索機能を支援するために必要なホスト装置の構成要素を示すブロック図である。
【図６】本発明の一実施例に係る内蔵型保存部を有するマルチメディア装置において探索機能を支援するために必要なマルチメディア装置の構成要素を示すブロック図である。
【図７】本発明の一実施例に係るマルチメディア保存部での保存方式を示すブロック図である。
【図８】本発明の一実施例に係る分離型保存部を有するマルチメディア装置においてＴＴＳ探索機能を提供するためのホスト装置の動作を示すフローチャートである。
【図９】本発明の一実施例に係る分離型保存部を有するマルチメディア装置においてＴＴＳ探索機能を提供するためのマルチメディア装置の動作を示すフローチャートである。
【図１０】本発明の一実施例に係る内蔵型保存部を有するマルチメディア装置においてＴＴＳ探索機能を提供するためのホスト装置の動作を示すフローチャートである。
【図１１】本発明の一実施例に係るホスト装置からファイルをダウンロードする過程を示すフローチャートである。
【図１２】本発明の一実施例に係る内蔵型保存部を有するマルチメディア装置においてＴＴＳ探索機能を提供するためのマルチメディア装置の動作を示すフローチャートである。
【符号の説明】
【００６７】
１  ＨＯＳＴシステム
１０  マルチメディア保存部
１２  マルチメディア読み取り部
１４  マルチメディア分析部
１６  ＴＴＳファイル生成部
１８  マルチメディア記録部
３  マルチメディア装置
３０  ＵＩ処理部
３００  ＵＩ部
３０２  ＵＩ制御部
３２  データ読み取り部
３２０  ＴＴＳ音声ファイル読み取り部
３２２  マルチメディアデータ読み取り部
３４  マルチメディア出力部
３８  内蔵用保存部
３８０  ダウンロード管理部
３８２  マルチメディア記録部
３８４  マルチメディア保存部
３８４０  マルチメディアファイルディレクトリ
３８４２  ＴＴＳ音声ファイル保存部
３８４４  マルチメディアファイル保存部
５  分離型保存部
【図１】
2005181960.tif 000003
【図２】
2005181960.tif 000004
【図３】
2005181960.tif 000005
【図４】
2005181960.tif 000006
【図５】
2005181960.tif 000007
【図６】
2005181960.tif 000008
【図７】
2005181960.tif 000009
【図８】
2005181960.tif 000010
【図９】
2005181960.tif 000011
【図１０】
2005181960.tif 000012
【図１１】
2005181960.tif 000013
【図１２】
2005181960.tif 000014